(57)【要約】【課題】無線検針を行う通報装置を設置しても、その通報装置に表示部を設けたり別途外部表示装置を接続したりする必要もなく、通報装置の設定情報や通信情報を得る無線自動検針システムを提供する。【解決手段】メータ１は、計量部１２と、計量部１２で取得した計量値を表示する表示部１１と、計量値を通報装置２に送信する計量値送信部とを有する。通報装置２は、メータ１から計量値を受信する計量値受信部と、受信した計量値に関する情報を公衆基地局との無線通信を用いてセンタ５に通報する無線通報部（無線通信部２２及び制御部２０）と、操作部２１と、そこでの操作に基づき表示用情報をメータ１に送信する表示情報送信部とを有する。メータ１は、表示情報送信部からの送信情報を受信し表示部１１に表示させる表示情報受信部を有する。なお、この例ではメータ１と通報装置２とは通信部１３と通信部２３で通信している。【選択図】図１
2009015617.tif 000002
【特許請求の範囲】
【請求項１】
メータと、該メータに接続された通報装置と、該通報装置に無線通信を用いて接続可能なセンタ装置とを備えた無線自動検針システムであって、
前記メータは、計量を行う計量部と、該計量部で取得した計量値を表示する表示部と、前記計量部で取得した計量値を前記通報装置に送信する計量値送信部とを有し、
前記通報装置は、前記メータから計量値を受信する計量値受信部と、該計量値受信部で受信した計量値に関する情報を、公衆基地局との無線通信を用いて前記センタ装置に通報する無線通報部と、操作部と、該操作部での操作に基づき表示用の情報を前記メータに送信する表示情報送信部とを有し、
前記メータは、前記表示情報送信部で送信された情報を受信し、前記表示部に表示させる表示情報受信部を有することを特徴とする無線自動検針システム。
【請求項２】
請求項１に記載の無線自動検針システムであって、前記表示情報送信部は、前記操作部でなされた所定の操作に対する応答として、前記無線通報部が前記公衆基地局と通信を行うことで得た該公衆基地局との間の受信電界強度及び該公衆基地局固有のＩＤ番号を含む表示用の情報を、前記メータに送信することを特徴とする無線自動検針システム。
【請求項３】
請求項１に記載の無線自動検針システムであって、前記表示情報送信部は、前記操作部でなされた所定の操作に対する応答として、前記通報装置に設定されている通報先の電話番号及び前記通報装置固有のＩＤ番号を含む表示用の情報を、前記メータに送信することを特徴とする無線自動検針システム。
【請求項４】
請求項１に記載の無線自動検針システムであって、前記表示情報送信部は、前記操作部でなされた所定の操作に対する応答として、前記無線通報部における前回通報時の月日時分、前回通報時の計量値、前回通報時の受信電界強度、前回の通報状況を含む表示用の情報を、前記メータに送信することを特徴とする無線自動検針システム。
【請求項５】
請求項１に記載の無線自動検針システムであって、前記表示情報送信部は、前記操作部でなされた所定の操作に対する応答として、前記無線通報部での複数回に亘る通報の履歴情報を含む表示用の情報を、前記メータに送信することを特徴とする無線自動検針システム。
【発明の詳細な説明】
【技術分野】
【０００１】
本発明は、水道メータ、ガスメータ、電力計等の計量器の検針を行う無線自動検針システムに関する。
【背景技術】
【０００２】
従来から、水道メータ、ガスメータ、電力計等のメータ（計量器）の検針を行うために、無線自動検針システムが利用されている。このシステムにおいては、通報装置の設置時及びメンテナンス時に無線状態及び通信状態を確認する必要がある。
【０００３】
特許文献１には、検針装置に内蔵する表示装置、或いは検針装置に内蔵した接続部に接続した外部表示装置にて、流量計測装置設置時に通信状態の良否を判断できるようにする技術が開示されている。
【０００４】
また、特許文献２には、無線検針用電子式水道メータの液晶表示部に、受信状態をモニタできる表示機能を備えることで、設置環境の良否が判断できるようにする技術が開示されている。受信状態としては受信電波の強度を表示しており、また液晶表示部にアンテナを設けておき、液晶表示部を回転させることでアンテナを通信し易い方向を変えるよう構成している。
【特許文献１】特許第３３１６９１８号公報
【特許文献２】特開２００２−０８１９７２号公報
【発明の開示】
【発明が解決しようとする課題】
【０００５】
しかしながら、特許文献１，２をはじめとする従来技術では、無線検針を行う通報装置を設置する場合、通報装置の設定情報や通信情報を得るために、通報装置に表示部を設けるか、通報装置に別途、外部表示装置を接続する必要がある。
【０００６】
本発明は、上述のごとき実情に鑑みてなされたものであり、無線検針を行う通報装置を設置した場合であっても、その通報装置に表示部を設けたり別途外部表示装置を接続したりする必要もなく、通報装置の設定情報や通信情報を得ることが可能な無線自動検針システムの提供を、その目的とする。
【課題を解決するための手段】
【０００７】
上述のごとき課題を解決するために、本発明の第１の技術手段は、メータと、該メータに接続された通報装置と、該通報装置に無線通信を用いて接続可能なセンタ装置とを備えた無線自動検針システムであって、前記メータは、計量を行う計量部と、該計量部で取得した計量値を表示する表示部と、前記計量部で取得した計量値を前記通報装置に送信する計量値送信部とを有し、前記通報装置は、前記メータから計量値を受信する計量値受信部と、該計量値受信部で受信した計量値に関する情報を、公衆基地局との無線通信を用いて前記センタ装置に通報する無線通報部と、操作部と、該操作部での操作に基づき表示用の情報を前記メータに送信する表示情報送信部とを有し、前記メータは、前記表示情報送信部で送信された情報を受信し、前記表示部に表示させる表示情報受信部を有することを特徴としたものである。
【０００８】
第２の技術手段は、第１の技術手段において、前記表示情報送信部は、前記操作部でなされた所定の操作に対する応答として、前記無線通報部が前記公衆基地局と通信を行うことで得た該公衆基地局との間の受信電界強度及び該公衆基地局固有のＩＤ番号を含む表示用の情報を、前記メータに送信することを特徴としたものである。
【０００９】
第３の技術手段は、第１の技術手段において、前記表示情報送信部は、前記操作部でなされた所定の操作に対する応答として、前記通報装置に設定されている通報先の電話番号及び前記通報装置固有のＩＤ番号を含む表示用の情報を、前記メータに送信することを特徴としたものである。
【００１０】
第４の技術手段は、第１の技術手段において、前記表示情報送信部は、前記操作部でなされた所定の操作に対する応答として、前記無線通報部における前回通報時の月日時分、前回通報時の計量値、前回通報時の受信電界強度、前回の通報状況を含む表示用の情報を、前記メータに送信することを特徴としたものである。
【００１１】
第５の技術手段は、第１の技術手段において、前記表示情報送信部は、前記操作部でなされた所定の操作に対する応答として、前記無線通報部での複数回に亘る通報の履歴情報を含む表示用の情報を、前記メータに送信することを特徴としたものである。
【発明の効果】
【００１２】
本発明によれば、無線自動検針システムにおいて、無線検針を行う通報装置を設置した場合であっても、その通報装置に表示部を設けたり別途外部表示装置を接続したりする必要もなく、通報装置の設定情報や通信情報を得ることが可能となる。
【発明を実施するための最良の形態】
【００１３】
図１は、本発明の一実施形態に係る無線自動検針システムの構成例を示すブロック図で、図中、１はメータ、２は通報装置、３は公衆基地局（以下、基地局という）、４は公衆網、５はセンタ装置（以下、センタという）である。
【００１４】
本発明に係る無線自動検針システム（以下、本システムという）は、メータ１に接続される通報装置２と、通報装置２との間でＰＨＳデータ通信等の無線データ通信を行うためのＰＨＳ等の基地局３と、公衆網４を利用して基地局３との間でデータ送受信を行うセンタ５とにより構成される。
【００１５】
メータ１は、計量を行う計量部１２と、計量部１２で取得した計量値（積算値又は検針値ともいう）を表示する表示部１１とを有する。なお、水道メータ、ガスメータの場合、計量の対象はそれぞれ水道水、ガスとなり、双方、積算流量値が検針値として取得できる。電力計の場合、計量の対象は消費電力となり、積算電力量が検針値として取得できる。以下、メータ１としては、電子式の水道メータを前提にして説明するが、ガスメータ、電力計等の他のメータであっても同様である。表示部１１としては、例えばデジタル式の液晶表示装置を適用すればよい。
【００１６】
また、メータ１は、計量部１２で得た検針値を通報装置２に送信する計量値送信部を有する。この計量値送信部は、外部とのデータの送受信を例えば電文形式で行う通信部１３と、通信部１３に対し検針値を通報装置２に送信するよう制御する制御部１０とで例示している。
【００１７】
通報装置２は、メータ１から検針値を受信する計量値受信部を有する。この計量値受信部は、外部とのデータの送受信を例えば電文形式で行う通信部２３と、通信部２３に対し検針値をメータ１から受信する制御を行う制御部２０とで例示している。このように、メータ１と通報装置２は、通信部１３と通信部２３との間でデータ通信を行う。
【００１８】
通報装置２は、計量値受信部で受信した検針値に関する情報を基地局３との無線通信を用いてセンタ５に通報する無線通報部を有する。この無線通報部は、基地局３との無線通信を例えば電文形式で定期的に行う無線通信部（ＲＦ部）２２と、制御部２０とで例示している。無線通報時の制御部２０は、無線通信部２２に対し検針値に関する情報をセンタ５に送信するよう制御する。このように、通報装置２は、定期的にメータ１の積算値等の管理データを読み出してセンタ５との間で通信を行う。
【００１９】
また、通報装置２は、操作部２１と、操作部２１での操作に基づき表示用情報をメータ１に送信する表示情報送信部とを有するものとし、メータ１は、表示情報送信部で送信された情報を受信し、表示部１１に表示させる表示情報受信部を有するものとする。また、操作部２１は、ユーザからの外部入力を検出する入力部であるとも言える。
【００２０】
表示用情報として例示できる、通報装置２が有する設定情報や通信状況は、センタ５との通信により取得できる。但し、初期設置時、あるいはセンタ５との通信が何らかの理由（通常は電波状態の悪化が考えられる）により通信できなくなった場合、通報装置２の設定情報や通信情報を取得することができなくなる。
【００２１】
通報装置２と接続するメータ１に、表示装置の機能を持たせることで、通報装置２に表示部を設ける必要がなく、あるいは通報装置２に外部表示装置を接続する防水タイプの接続部を設ける必要がなく、コスト及び耐久性にメリットがある。
【００２２】
なお、通報装置２に表示装置を内蔵することも可能であるが、通報装置２はメータ近くに設置されることがあるため、防水構造である必要がある。従って、通報装置２の情報を確認するために設置時や不具合時に使用されるのみで、通常は製品稼動中に１度のみしか使用されないため、コスト及び耐久性を考慮すると、通報装置２に表示装置を内蔵することは少ないと考えられる。また、通報装置２の情報を表示するために、外部表示装置を接続するための防水タイプの接続部を通報装置２に設けることも可能であるが、コスト及び耐久性を考慮すると、このような構成が採用されることも少ないと考えられる。
【００２３】
ここで、上述した表示情報について、具体例を挙げて説明する。表示情報送信部は、操作部２１でなされた所定の操作に対する応答として（操作部２１への入力方法の違いなどにより）、無線通報部が基地局３と通信を行うことで得た基地局３との間の受信電界強度及び基地局固有のＩＤ番号を含む表示用の情報を、メータ１に送信することが好ましい。メータ１は表示部１１に通報装置２から受信したこの情報を表示することとなる。
【００２４】
また、表示情報送信部は、操作部２１でなされた所定の操作に対する応答として、通報装置２に設定されている通報先の電話番号及び通報装置固有のＩＤ番号を含む表示用の情報を、メータ１に送信することが好ましい。メータ１は表示部１１に通報装置２から受信したこの情報を表示することとなる。
【００２５】
また、表示情報送信部は、操作部２１でなされた所定の操作に対する応答として、無線通報部における前回通報時の月日時分、前回通報時の検針値、前回通報時の受信電界強度、前回通報状況を含む表示用の情報を、メータ１に送信することが好ましい。メータ１は表示部１１に通報装置２から受信したこれらの情報（前回の通報時情報）を表示することとなる。
【００２６】
さらに、表示情報送信部は、操作部２１でなされた所定の操作に対する応答として、無線通報部での複数回に亘る通報の履歴情報（前々回、３回前、４回前などの通報時情報）を含む表示用の情報を、メータ１に送信することが好ましい。メータ１は表示部１１に通報装置２から受信したこの情報（通報履歴情報）を表示することとなる。
【００２７】
図２は、図１のシステムにおける表示処理の一例を説明するためのフロー図で、図３は、図１のシステムにおける表示処理の他の例を説明するためのフロー図である。上述した表示情報について、図２及び図３を参照して説明する。
【００２８】
この例では、通報装置２は、接続されたメータ１の表示部１１に、通報装置２の公衆網情報、通報装置情報、通報時情報などの各種情報を表示させることが可能となっているものとする。
【００２９】
また、通報装置２の操作部（入力部）２１として、Ａ〜Ｄの４つのリードスイッチを設け、マグネットにより入力内容を切り替えるものとして説明する。ここで、リードスイッチＡに入力があった場合（操作された場合）は公衆網情報（基地局間情報とも言う）、リードスイッチＢに入力があった場合は通報装置情報、リードスイッチＣに入力があった場合は通報時情報、リードスイッチＤに入力があった場合は通報時情報を蓄積した通報履歴情報が、それぞれ対応して表示されるものとする。
【００３０】
図２を参照して、リードスイッチＡが押下された場合の公衆網情報表示シーケンスを説明する。まず、リードスイッチＡの押下を制御部１０が認識し、制御部１０が通報装置２に対し通信部１３を介してリードスイッチＡが押下されたことを通報装置２に伝送する（ステップＳ１）。
【００３１】
通報装置２の制御部２０は、この押下情報を通信部２３で受けたことを認識し、無線通信部２２に公衆網情報要求を発する（ステップＳ２）。無線通信部２２は、この要求に応じて基地局３と通信し基地局３との公衆網情報を測定し（ステップＳ３）、この測定結果である公衆網情報を制御部２０に応答する（ステップＳ４）。
【００３２】
制御部２０はこの公衆網情報の応答を得て、その公衆網情報からメータ表示用電文を作成（生成）する（ステップＳ５）。次いで、制御部２０は、通信部２３を介してメータ１に対し、その電文を送って表示要求を行う（ステップＳ６）。
【００３３】
メータ１の制御部１０は、通信部１３でこの表示要求を受けたことを認識すると、電文を解析して公衆網情報を表示部１１に表示させる制御を行い、表示部１１がその表示を行う（ステップＳ７）。制御部１０は、この表示処理と前後して表示要求に対して表示する旨の応答、あるいは表示した旨の応答を、通信部１３に通信させる（ステップＳ８）。通報装置２の制御部２０は、通信部２３を介してこの表示応答を受信したことを認識し、処理を終了したり、次に表示すべき情報の表示要求を電文で生成しメータ１に送信したりすればよい。
【００３４】
この公衆網情報とは、通報装置２の無線通信部２２と基地局３との間の情報で、通報装置２の受信電界強度、通報装置２が捕捉する基地局３の固有のＩＤ番号を含む情報を言う。受信電界強度は、設置時における電波環境の把握に利用できる。通報装置２が捕捉する公衆網情報が分かれば、どの方向に基地局が存在するかが把握でき、電波環境をより良い状況に改善できる。このように、通信相手との受信電界強度及び通信相手固有のＩＤがわかるので、通信方向を考慮した設置位置を確定することができ、設置性が向上する。
【００３５】
また、初期設置時や電波状態の悪化により通信できなくなった場合にも、その旨を示す通報装置２の設定情報や通信情報をメータ１に送信して表示させればよい。また、リードスイッチＡの操作の度に、受信電界強度と基地局固有のＩＤ番号とを交互に切り替えて表示するような制御を行ってもよい。
【００３６】
図３を参照して、リードスイッチＢ，Ｃ，Ｄのいずれかが押下された場合の情報表示シーケンスを説明する。まず、通報装置２の操作部２１に通報装置２の情報表示のためリードスイッチＢ，Ｃ，Ｄのいずれかでの入力を実行する（ステップＳ１１）。ステップＳ１１では、制御部１０がそれを認識すると、通報装置２に対し通信部１３を介してリードスイッチＢ／Ｃ／Ｄが押下されたことを通報装置２に伝送する。通報装置２の制御部２０は、この押下情報を通信部２３で受けたことを認識し、その押下情報（入力内容）に応じて、押下されたリードスイッチＢ／Ｃ／Ｄに対応する、メータ１の表示部１１に表示するメータ表示用の電文を作成する（ステップＳ１２）。次いで、制御部２０は、通信部２３を介してメータ１に対し、その電文を送って表示要求を行う（ステップＳ１３）。
【００３７】
メータ１の制御部１０は、通信部１３でこの表示要求を受けたことを認識すると、電文を解析して公衆網情報を表示部１１に表示させる制御を行い、表示部１１がその表示を行う（ステップＳ１４）。制御部１０は、この表示処理と前後して表示要求に対して表示する旨の応答、あるいは表示した旨の応答を、通信部１３に通信させる（ステップＳ１５）。通報装置２の制御部２０は、通信部２３を介してこの表示応答を受信したことを認識し、処理を終了したり、次に表示すべき情報の表示要求を電文で生成しメータ１に送信したりすればよい。
【００３８】
上述した表示処理において、リードスイッチＢが押下された場合には、通報装置情報を表示させる。この通報装置情報とは、通報装置２のＩＤ、通報装置２の通報先電話番号を言う。リードスイッチＢが押下された場合、通報装置２のＩＤと通報先電話番号を交互に表示させるか、あるいはそれらを同時に表示させればよい。
【００３９】
通報装置２のＩＤは、通報装置２がセンタ５と通信する通信電文中に含まれ、センタ５で個々の通報装置２を把握するために利用される。通報先の電話番号は、センタ５の電話番号であり、通報先電話番号が確認できると通報先の間違を防ぐことができる。このように、通報装置２に設定されているセンタ５の電話番号、通報装置固有のＩＤ番号が分かるので、設定間違いが無いかを確認ができ、無用な通信を防ぐことが可能となる。
【００４０】
上述した表示処理において、リードスイッチＣが押下された場合には、通報時情報を表示させる。この通報時情報とは、通報装置２の前回通報時の情報で、前回通報時の月日時分、前回通報時の検針値、前回通報時の受信電界強度、前回通報状況を言う。リードスイッチＣが押下された場合には、通報装置２における前回通報時の月日時分、検針値、受信電界強度、通報状況を順番に表示させるか、あるいはそれらの一部を順番に表示させるか、あるいはそれらの全部を同時に表示させればよい。
【００４１】
ここで、通報装置２は、通報時の月日時分、メータ検針値、受信電界強度、通報状況（通信失敗の有無）を図示しないメモリに記録しておけばよい。そして、制御部２０が、次回、センタ５への通報時にこのメモリに記録した各種情報を、通信電文中に付加して無線通信部２２で通報するとよい。通報できなかった場合であっても、上述の表示部１１での表示処理が実行されるため、通報状況の確認ができる。メンテナンス時及び通信不良時の解析時に、前回通報時の状況が把握できるため、通信不良時の解析などに役立つ。
【００４２】
上述した表示処理において、リードスイッチＤが押下された場合には、通報履歴情報を表示させる。この通報履歴情報とは、複数回分の保存された通報時情報の履歴を言う。通報装置２は、上述のごとく通報時に通報時情報を図示しないメモリに記録しておけばよい。リードスイッチＤが押下された場合には、通報履歴情報を順番に表示させればよく、履歴が多い場合には、押下される度に古い通信履歴情報又は新しい通信履歴情報を表示させればよい。メンテナンス時及び通信不良時の解析時に、前回以前の通信状況などの過去通報時の履歴が把握できるため、通信不良時の解析などに役立つ。
【００４３】
また、図２及び図３を参照して説明した例において、メータ１の検針値（積算値）を常時表示部１１上に点灯しておき、各種情報を表示する場合はその検針値を一旦消灯し、各種情報の項目と内容を表示するようにしてもよい。そして、各種情報の表示が消灯すると、再度メータ１の積算値を表示部１１上に点灯するとよい。若しくは、検針値を常時表示部１１に点灯しておき、それに加えてリードスイッチに応じた各種情報を点灯してもよい。
【図面の簡単な説明】
【００４４】
【図１】本発明の一実施形態に係る無線自動検針システムの構成例を示すブロック図である。
【図２】図１のシステムにおける表示処理の一例を説明するためのフロー図である。
【図３】図１のシステムにおける表示処理の他の例を説明するためのフロー図である。
【符号の説明】
【００４５】
１…メータ、２…通報装置、３…公衆基地局（基地局）、４…公衆網、５…センタ装置（センタ）、１０…メータ側制御部、１１…表示部、１２…計量部、１３…メータ側通信部、２０…通報装置側制御部、２１…操作部、２２…無線通信部、２３…通報装置側通信部。
【図１】
2009015617.tif 000003
【図２】
2009015617.tif 000004
【図３】
2009015617.tif 000005